(57)【要約】【課題】  現像剤の使い込みによるストレスでキャリア表面にスペントが発生した状態でも、光学式のトナー濃度検知手段によるトナー濃度の算出が正確に出来るような画像形成装置を提供する。【解決手段】  トナーとキャリアから構成される２成分現像剤を収容する現像装置を用いて像形成体上の静電潜像の現像を行う画像形成装置において、制御部は光学センサを用いて現像装置内の現像剤からの反射光量を測定してトナー濃度を算出するとともに、現像装置内で電界を形成して現像剤からキャリアのみを分離し、分離したキャリアからの反射光量を光学センサで測定し、キャリアからの反射光量を用いてトナー濃度算出値に補正を加えることを特徴とする。【選択図】        図１
2006126698.tif 000002
【特許請求の範囲】
【請求項１】
トナーとキャリアから構成される２成分現像剤を収容する現像装置を用いて像形成体上の静電潜像の現像を行う画像形成装置において、
制御部は光学センサを用いて現像装置内の現像剤からの反射光量を測定してトナー濃度を算出するとともに、現像装置内で電界を形成して現像剤からキャリアのみを分離し、分離したキャリアからの反射光量を光学センサで測定し、キャリアからの反射光量を用いてトナー濃度算出値に補正を加えることを特徴とする画像形成装置。
【請求項２】
像形成体上にトナーを現像するための現像剤担持体Ａと、現像剤担持体Ａに現像剤を供給する現像剤担持体Ｂとを有し、
現像剤担持体Ａと現像剤担持体Ｂはいずれも回転可能な非磁性円筒部材とその内部に配置される磁石群から構成されるとともに、互いに対向するように設置され、
現像剤からの反射光量の測定時には、現像剤担持体Ａと現像剤担持体Ｂを同電位に設定するとともに両者の最も近接した対向部に、現像剤担持体Ａは磁石が位置し、現像剤担持体Ｂは前記磁石の極性と異極性の２つの磁石の中間位置となるよう磁石群の位相を設定し、
キャリアからの反射光量の測定時には、現像剤担持体Ａと現像剤担持体Ｂの間に電界を形成するとともに両者の最も近接した対向部において同極性の磁石を対向させるように磁石群の位相を設定し、
光学センサは現像剤担持体Ａに担持された現像剤もしくはキャリアからの反射光量を測定する、
ことを特徴とする請求項１に記載の画像形成装置。
【請求項３】
像形成体上にトナーを現像するための現像剤担持体Ａと、現像剤担持体Ａから現像剤を剥ぎ取る現像剤担持体Ｂとを有し、
現像剤担持体Ａと現像剤担持体Ｂはいずれも回転可能な非磁性円筒部材とその内部に配置される磁石群から構成されるとともに、互いに対向するように設置され、
現像剤からの反射光量の測定時には、現像剤担持体Ａと現像剤担持体Ｂを同電位に設定するとともに両者の最も近接した対向部に、現像剤担持体Ｂは磁石が位置し、現像剤担持体Ａは前記磁石の極性と異極性の２つの磁石の中間位置となるよう磁石群の位相を設定し、
キャリアからの反射光量の測定時には、現像剤担持体Ａと現像剤担持体Ｂの間に電界を形成するとともに両者の最も近接した対向部において同極性の磁石を対向させるように磁石群の位相を設定し、
光学センサは現像剤担持体Ｂに担持された現像剤もしくはキャリアからの反射光量を測定する、
ことを特徴とする請求項１に記載の画像形成装置。
【請求項４】
請求項１〜３のいずれか１項に記載の画像形成装置において、キャリアからの反射光量の測定は、所定の現像装置駆動時間毎に実施することを特徴とする画像形成装置。
【請求項５】
請求項１〜３のいずれか１項に記載の画像形成装置において、キャリアからの反射光量の測定は、所定のプリント数毎に実施することを特徴とする画像形成装置。
【発明の詳細な説明】
【技術分野】
【０００１】
本発明は、複写機、プリンタ、ファクシミリ、これらの機能を併せ持つ複合機であって、電子写真方式の画像形成装置に係わり、特に２成分現像剤を用いて現像を行う画像形成装置に関する。
【背景技術】
【０００２】
近年、電子写真方式の画像形成装置においても、オフセット印刷並みの高速／高画質の画像が要求されるようになっている。
【０００３】
高画質を実現するために、現像プロセスにおいてはトナーの均一な帯電が必要になる。また高速化に対応するためには、トナーの迅速な帯電立ち上がりが要求される。これらトナーに要求される性能を満足するためには、現像剤としてはトナーのみから構成される１成分現像剤よりも、トナーとキャリアから構成される２成分現像剤を使用した方が有利である。
【０００４】
一方、２成分現像剤を使用する際にポイントとなるのは、トナー濃度の制御である。
【０００５】
トナー濃度を思惑どおりコントロールすることによって、目標の画像濃度が得られるのであるが、そのためには現像器内の現像剤のトナー濃度を検知する手段が必要となる。
【０００６】
トナー濃度検知手段としては、現像剤の透磁率を測定する透磁率式のトナー濃度センサや、現像剤からの反射光量を測定してトナー濃度を求める光学式のトナー濃度センサが広く知られている。
【０００７】
透磁率センサの場合の問題点として、トナー濃度が一定であっても帯電量が変化すれば現像剤の嵩密度が変化するため現像剤の透磁率が変化する。従って、トナー濃度も変化したものと判断してしまう。
【０００８】
従って、嵩密度の変動が大きい現像剤においては、透磁率センサよりも光学式センサの方が適しており、特にトナー濃度によって反射光量が大きく変化するカラー現像剤（一般的に、低いトナー濃度で反射光量小、高いトナー濃度で反射光量大）の場合に適している。
【０００９】
光学式トナー濃度センサとしては、従来にも特許文献１に示されるような実施例がある。この従来例の場合は、トナー濃度測定専用の現像剤担持体上に担持した現像剤に対する反射光量を測定してトナー濃度を求めている。
【特許文献１】特開２００４−２９０９０号公報
【発明の開示】
【発明が解決しようとする課題】
【００１０】
特許文献１等の光学式トナー濃度センサによっても必ずしも必要とする満足なトナー濃度を検知することはできなかった。
【００１１】
光学式トナー濃度センサの問題点として、現像剤の使い込みによる劣化によって、同一のトナー濃度で比較した場合でも新品の現像剤よりも反射光量が多くなり、トナー濃度が高いと判断してしまう傾向がある。
【００１２】
現像剤の耐久による劣化によって現像剤からの反射光量が新品現像剤よりも多くなる理由は、現像剤の使い込みによって現像剤が機械的もしくは熱的ストレスを受け、キャリア表面に微粉状態となったトナーが固着する所謂スペント現象が発生するために、カラー現像剤を例に取ると、本来のキャリア表面の色に対してトナーの色が若干混じることによって明るい色になるからである。
【００１３】
従って、現像剤からの反射光量が多いという検知結果からトナー濃度が高いと判断するように誤検知を起こすわけである。
【００１４】
本発明の目的は、現像剤に使い込みによるストレスでキャリア表面にスペントが発生した状態でも、光学式のトナー濃度検知手段によるトナー濃度の算出が正確に出来るような画像形成装置を提供することである。
【課題を解決するための手段】
【００１５】
前記目的は、下記の請求項１〜５記載の発明により達成される。
（請求項１）
トナーとキャリアから構成される２成分現像剤を収容する現像装置を用いて像形成体上の静電潜像の現像を行う画像形成装置において、
制御部は光学センサを用いて現像装置内の現像剤からの反射光量を測定してトナー濃度を算出するとともに、現像装置内で電界を形成して現像剤からキャリアのみを分離し、分離したキャリアからの反射光量を光学センサで測定し、キャリアからの反射光量を用いてトナー濃度算出値に補正を加えることを特徴とする画像形成装置。
（請求項２）
像形成体上にトナーを現像するための現像剤担持体Ａと、現像剤担持体Ａに現像剤を供給する現像剤担持体Ｂとを有し、
現像剤担持体Ａと現像剤担持体Ｂはいずれも回転可能な非磁性円筒部材とその内部に配置される磁石群から構成されるとともに、互いに対向するように設置され、
現像剤からの反射光量の測定時には、現像剤担持体Ａと現像剤担持体Ｂを同電位に設定するとともに両者の最も近接した対向部に、現像剤担持体Ａは磁石が位置し、現像剤担持体Ｂは前記磁石の極性と異極性の２つの磁石の中間位置となるよう磁石群の位相を設定し、
キャリアからの反射光量の測定時には、現像剤担持体Ａと現像剤担持体Ｂの間に電界を形成するとともに両者の最も近接した対向部において同極性の磁石を対向させるように磁石群の位相を設定し、
光学センサは現像剤担持体Ａに担持された現像剤もしくはキャリアからの反射光量を測定する、
ことを特徴とする請求項１に記載の画像形成装置。
（請求項３）
像形成体上にトナーを現像するための現像剤担持体Ａと、現像剤担持体Ａから現像剤を剥ぎ取る現像剤担持体Ｂとを有し、
現像剤担持体Ａと現像剤担持体Ｂはいずれも回転可能な非磁性円筒部材とその内部に配置される磁石群から構成されるとともに、互いに対向するように設置され、
現像剤からの反射光量の測定時には、現像剤担持体Ａと現像剤担持体Ｂを同電位に設定するとともに両者の最も近接した対向部に、現像剤担持体Ｂは磁石が位置し、現像剤担持体Ａは前記磁石の極性と異極性の２つの磁石の中間位置となるよう磁石群の位相を設定し、
キャリアからの反射光量の測定時には、現像剤担持体Ａと現像剤担持体Ｂの間に電界を形成するとともに両者の最も近接した対向部において同極性の磁石を対向させるように磁石群の位相を設定し、
光学センサは現像剤担持体Ｂに担持された現像剤もしくはキャリアからの反射光量を測定する、
ことを特徴とする請求項１に記載の画像形成装置。
（請求項４）
請求項１〜３のいずれか１項に記載の画像形成装置において、キャリアからの反射光量の測定は、所定の現像装置駆動時間毎に実施することを特徴とする画像形成装置。
（請求項５）
請求項１〜３のいずれか１項に記載の画像形成装置において、キャリアからの反射光量の測定は、所定のプリント数毎に実施することを特徴とする画像形成装置。
【発明の効果】
【００１６】
請求項１〜３に記載された本発明によるときは、光学式のトナー濃度検知手段によるトナー濃度検出に当って、キャリアのスペントによる反射光量の変化を補正するために、測定した現像剤のトナー濃度検出値に、現像剤からキャリアのみを分離して反射光量を測定し、補正を加えることによって、トナー濃度の算出が正確に行われることとなった。
【００１７】
請求項４、５に記載された本発明によるときは、トナー濃度算出値の補正を所定の現像装置駆動時間毎に、或いは所定のプリント数毎に行うことによって、プリント動作中にしばしば行われるトナー濃度検出時には、先に行われたトナー濃度算出値の補正値を用いて算出することによって、単にトナー濃度検出を行うことのみによっても許容範囲内にある正確なトナー濃度算出値が得られることとなった。
【発明を実施するための最良の形態】
【００１８】
（１）  本発明の画像形成装置の説明に先だって、キャリアからの反射光量を用いてトナー濃度を補正する方法について説明する。
【００１９】
新品の現像剤および耐久後（この例では１０万プリント後）の現像剤のトナー濃度対反射光量の関係（シアン現像剤の場合）を図１に示す。いずれの現像剤の場合にも、トナー濃度が低くなるほどキャリア表面の色（黒に近いグレー）の影響が大きくなるため、反射光量が減少し、トナー濃度に対して光学センサ出力はリニアに変化している。その際、キャリア表面にトナーがスペントした状態の耐久現像剤の方が、同じトナー濃度でも反射光量が多くなる。
【００２０】
一方、トナー濃度が高い領域では、キャリア表面の影響が小さくなるため、スペントによる反射光量変化の影響を受けにくくなり、この現像剤処方の場合ではトナー濃度２０％以上の領域ではスペントの有無にかかわらず同一トナー濃度に対しては光学センサの反射光量は同じになっている。
【００２１】
従って本発明では、画像形成装置の所定プリント数毎（例えば３０００プリント）に現像剤からキャリアのみを分離してキャリアからの反射光量（出力電圧Ｖ（Ｃ０））及び現像剤からの反射光量（出力電圧Ｖ（ＣＸ））とを光学センサで測定する。また予め工程調整時に新品現像剤を用いて、トナー濃度０％の反射光量（出力電圧Ｖ（Ｄ０））とトナー濃度２０％の反射光量（出力電圧Ｖ（Ｄ２０））とを記憶させ、制御部にて検量線（カーブＤ）を作成している。
【００２２】
キャリアからの出力電圧Ｖ（Ｃ０）とトナー濃度２０％での出力電圧Ｖ（Ｄ２０）とを結ぶ検量線（カーブＣ）をもって耐久現像剤を用いたときのトナー濃度と光学センサ出力電圧との関係を示していて、現像剤からの測定された出力電圧Ｖ（ＣＡ）は検量線（カーブＣ）上にある。
【００２３】
従来は現像剤から測定された出力電圧Ｖ（ＣＡ）をもって検量線（カーブＤ）からトナー濃度を求めていた。このために求めたトナー濃度は実際よりも高い値として認識されていた。
【００２４】
本発明にあっては、次の演算処理を行ってトナー濃度算出値に補正を行い、スペントによる反射光量の変化分を除去し、使用上問題のない正確なトナー濃度算出値Ｖ（ＤＡ）が得られることとなる。
【００２５】
Ｖ（ＤＡ）＝Ｖ（ＣＡ）−｛Ｖ（Ｃ０）−Ｖ（Ｄ０）｝×
〔１−｛Ｖ（ＣＡ）−Ｖ（Ｃ０）｝／｛Ｖ（Ｄ２０）−Ｖ（Ｃ０）｝〕
（２）  本発明の適用される画像形成装置について説明する。
【００２６】
図１は、本発明の像露光制御を行う画像形成装置の全体構成図である。
【００２７】
画像形成装置は、画像形成装置１００と画像読取装置２００とから構成される。
【００２８】
画像形成装置１００は、タンデム型カラー画像形成装置と称せられるもので、複数組の画像形成手段１０Ｙ，１０Ｍ，１０Ｃ，１０Ｋと、ベルト状の中間転写体６と給紙搬送手段２０及び定着装置７０とからなる。
【００２９】
画像形成装置１００の上部には、自動原稿送り装置２０１と原稿画像走査露光装置２０２とから成る画像読取装置２００が設置されている。
【００３０】
自動原稿送り装置２０１の原稿台上に載置された原稿ｄは搬送手段により搬送され、原稿画像走査露光装置２０２の光学系により原稿の片面又は両面の画像が走査露光され、ラインイメージセンサＣＣＤに読み込まれる。
【００３１】
ラインイメージセンサＣＣＤにより光電変換されたアナログ信号は、画像処理部５０において、アナログ処理、Ａ／Ｄ変換、シェーディング補正、画像圧縮処理等を行い、一旦メモリに記憶された後、露光手段（画像書き込み手段）３Ｙ、３Ｍ、３Ｃ、３Ｋに入力される。
【００３２】
イエロー（Ｙ）色の画像を形成する画像形成手段１０Ｙは、像担持体としての感光体ドラム１Ｙの周囲に配置された帯電手段２Ｙ、露光手段３Ｙ、現像装置４Ｙ及びクリーニング手段５Ｙを有する。マゼンタ（Ｍ）色の画像を形成する画像形成手段１０Ｍは、像担持体としての感光体ドラム１Ｍ、帯電手段２Ｍ、露光手段３Ｍ、現像装置４Ｍ及びクリーニング手段５Ｍを有する。シアン（Ｃ）色の画像を形成する画像形成手段１０Ｃは、像担持体としての感光体ドラム１Ｃ、帯電手段２Ｃ、露光手段３Ｃ、現像装置４Ｃ及びクリーニング手段５Ｃを有する。黒（Ｋ）色の画像を形成する画像形成手段１０Ｋは、像担持体としての感光体ドラム１Ｋ、帯電手段２Ｋ、露光手段３Ｋ、現像装置４Ｋ及びクリーニング手段５Ｋを有する。帯電手段２Ｙと露光手段３Ｙ、帯電手段２Ｍと露光手段３Ｍ、帯電手段２Ｃと露光装置３Ｃ及び帯電手段２Ｋと露光装置３Ｋとは、潜像形成手段を構成し、感光体ドラム１Ｙ、１Ｍ、１Ｃ、１Ｋ上に静電潜像を形成する。
【００３３】
４Ｙ，４Ｍ，４Ｃ，４Ｋは、イエロー（Ｙ）、マゼンタ（Ｍ）、シアン（Ｃ）及び黒（Ｋ）の小粒径トナーとキャリアからなる二成分現像剤を内包する現像装置、現像を行い感光体ドラム１Ｙ、１Ｍ、１Ｃ、１Ｋ上に各色のトナー像を形成する。
【００３４】
中間転写体６は、複数のローラにより巻回され、回動可能に支持されている。
【００３５】
画像形成手段１０Ｙ，１０Ｍ，１０Ｃ，１０Ｋより形成された各色のトナー画像は、回動する中間転写体６上に一次転写手段７Ｙ，７Ｍ，７Ｃ，７Ｋにより逐次転写されて（一次転写）、合成されたカラー画像が形成される。
【００３６】
給紙搬送手段２０の給紙カセット２１内に収容された転写材Ｐは、給紙手段２２により給紙され、給紙ローラ２３，２４，２５，２６、レジストローラ２７等を経て、二次転写手段（転写ローラ）９に搬送され、転写材Ｐ上にカラー画像が転写される（二次転写）。
【００３７】
カラー画像が転写された転写材Ｐは、定着装置７０においてヒータを内蔵した定着ローラと、定着ローラに圧接する加圧ローラとによって転写材Ｐが挟持され、熱と圧力とを加えることにより転写材Ｐ上のカラートナー像（或いはトナー像）が定着されて転写材Ｐ上に固定され、排紙ローラ２７ａ及び２８に挟持されて機外の排紙トレイ２９上に載置される。
【００３８】
一方、二次転写手段９により転写材Ｐにカラー画像を転写した後、転写材Ｐを曲率分離した中間転写体６は、クリーニング手段８により残留トナーが除去される。
【００３９】
定着処理された転写材Ｐを反転排紙する場合には、転写材Ｐは定着装置７０と排紙ローラ２８の中間に配置された分岐板２８Ａの図示右側の搬送路を通過し、下方の第１搬送路（１）に搬送された後、逆転搬送されて分岐板２８Ａの図示左側の第２搬送路（２）を通過し、排紙ローラ２８により装置外に排出される。
【００４０】
転写材Ｐの両面に複写する場合には、転写材Ｐの第１面に形成した画像を定着処理した後、転写材Ｐを第１搬送路（１）、さらに分岐板２８Ｂの下方の第４搬送路（４）に導入した後、逆転搬送し、分岐板２８Ｂの図示右側の搬送路を通過させ、第３搬送路（３）に搬送した後、上方に迂回し給紙ローラ２６により搬送する。転写材Ｐは画像形成手段１０Ｙ，１０Ｍ，１０Ｃ，１０Ｋにおいて第２面に各色の画像が両面に形成され、定着装置７０により加熱定着処理され、排紙ローラ２８によって装置外に排出される。
【００４１】
なお、画像形成装置１００の説明においては、カラー画像形成について説明したが、モノクロ画像を形成する場合も本発明に含まれるものである。
【００４２】
（３）  本発明の画像形成装置１００に用いられる現像装置４は、実施例１，２に示すように、（Ａ）感光体ドラム１上の静電潜像を現像する現像剤担持体４１Ａと、現像剤担持体４１Ａに現像剤を供給する現像剤担持体４２Ａとを有し、光センサＳ４によって現像剤担持体４１Ａに付着状態にある現像剤又はキャリアの反射光量を測定することができる構成、（Ｂ）感光体ドラム１上の静電潜像を現像する現像剤担持体４１Ｂと、現像剤担持体４１Ｂから現像剤を剥ぎ取る現像剤担持体４２Ｂとを有し、光センサＳ４によって現像剤担持体４２Ｂに付着状態にある現像剤又はキャリアの反射光量を測定することができる構成、となっている。
【００４３】
（Ａ）  実施例１の現像装置について、図３に示す構成図を用いて説明する。
【００４４】
感光体ドラム１に対向しては、内部に複数の磁石を有した磁石ロール４１１Ａと、磁石ロール４１１Ａ外周を矢示方向に回転する現像スリーブ４１２Ａとからなる現像剤担持体４１Ａがある。
【００４５】
現像剤担持体４１Ａに近接しては、現像剤担持体４１Ａに現像剤を供給する現像剤担持体４２Ａがある。現像剤担持体４２Ａも、内部に複数の磁石を有した磁石ロール４２１Ａと、磁石ロール４２１Ａの外周を矢示方向に回転する現像スリーブ４２２Ａとからなっている。
【００４６】
４４Ａは水車状の翼を有する撹拌部材で、現像剤の撹拌を行っていて、トナーと磁性キャリアとから成る現像剤は撹拌されて摩擦帯電し、キャリア外周にトナーが付着した状態となっていて、回転する現像スリーブ４２２Ａ周面に磁力によって付着し、現像スリーブ４２２Ａの回転に伴って移動する。
【００４７】
現像スリーブ４２２Ａの現像スリーブ４１２Ａに最も近接した対向部では、磁石ロール４２１Ａは同磁極の２つの磁石の中間位置となっていて、磁石ロール４１１Ａは異磁極の磁石が位置している（図３（ａ）参照）。
【００４８】
従って、現像スリーブ４２２Ａに磁力によって付着していた現像剤は対向部で磁力差によって現像スリーブ４１２Ａ周面に移動し、現像領域へと搬送される。
【００４９】
現像スリーブ４１２Ａによって現像剤が搬送される間に、層厚規制部材４３Ａによって所定の現像剤の搬送量となるよう制限がなされ、現像スリーブ４１２Ａには直流電圧と交流電圧を重畳した現像バイアスが印加され、現像領域において感光体ドラム１上の静電潜像部分にトナーが付着して現像が行われる。
【００５０】
かかる画像形成の一部をなす現像プロセスにおいて、適時発光素子と受光素子とより成る光学センサＳ４によって、現像スリーブ４１２Ａ上の現像剤の反射率を測定してトナー濃度の検知がなされ、測定されたトナー濃度出力に対して後に説明する補正が加えられ、補正されたトナー濃度出力値が規定値以下に低下したときは、制御部はトナー補給を行うよう制御を行っている。
【００５１】
本発明の画像形成装置では、上記説明した画像形成モードとともに、トナー濃度検知データ補正モードを有していて、光学センサＳ４によって検知されたトナー濃度に対し、キャリアから反射光量を検知して、先に検知されたトナー濃度に対して補正を行うことが制御系によって行われる。
【００５２】
図４には、電気制御系の概要を示すブロック図を示している。１１０は演算制御処理を行うＣＰＵで、ＲＡＭ１１１、ＲＯＭ１１２、不揮発メモリ１１３が接続している。ＲＡＭ１１１には、プリント数積算値又は、現像時間積算値が記憶されていて、プリント数又は現像時間の増加と共に前記積算値に加算される。
【００５３】
ＲＯＭ１１２には、画像形成モードプログラムと、トナー濃度検知データ補正プログラムとを記憶していて、画像形成時には画像形成モードプログラムを呼び出し、インターフェース１２０を介して外部機器の動作の制御を行い、画像形成を行う。画像形成を行うことによって、プリント数積算値が所定の積算値に達したとき、又は現像時間積算値が所定の積算値に達したとき、ＣＰＵ１１０はトナー濃度検知データ補正プログラムを呼び出し、インターフェース１２０を介して関係部材の動作の制御を行って、トナー濃度検知データの補正を行っている。
【００５４】
次に図３、図４を用いてトナー濃度検知データの補正動作について説明する。
【００５５】
トナー濃度検知データの補正には、先ず光学センサＳ４によって現像スリーブ４１２Ａ上の現像剤の反射光測定を行うことから行われる。
【００５６】
制御部１００は、磁石ロール４１１Ａ及び磁石ロール４２１Ａの磁石位置を移動させ、現像剤担持体４１Ａと現像剤担持体４２Ａとの最も近接した対向部では、磁石ロール４１１Ａについては磁石が位置し、磁石ロール４２１Ａについては磁石ロール４１１Ａの位置した磁石と磁極性を異にした２つの磁石の中間位置となるように設定し、現像スリーブ４１２Ａと現像スリーブ４２２Ａとには、同電位のバイアス電圧の印加を行う。本実施例においては共に−５００Ｖに電圧印加し、駆動を行う（図３（ａ）参照）。
【００５７】
かかる駆動動作を行うことによって、現像スリーブ４２２Ａ周面に磁力によって付着搬送された現像剤は、現像スリーブ４２２Ａが現像スリーブ４１２Ａに最も近接した対向部で、磁力差によって現像スリーブ４１２Ａ周面へと移動し、現像スリーブ４１２Ａ周面上に付着した現像剤の反射光量は光学センサＳ４によって出力電圧Ｖ（ＣＡ）として計測される。
【００５８】
次いで、光学センサＳ４によって現像スリーブ４１２Ａ周面上のキャリアの反射光測定を行う。
【００５９】
制御部１００は、磁石ロール４２１Ａの磁石位置を移動させ、現像剤担持体４１Ａと現像剤担持体４２Ａとの最も近接した対向部で、同極性の磁石が対向するように位置設定し、現像スリーブ４１２Ａにはトナーと同極性のバイアス電圧（本実施例では−５００Ｖ）を印加し、現像スリーブ４２２Ａは接地して、現像スリーブ４１２Ａと現像スリーブ４２２Ａとの対向した間隙では、電界が形成された状態で駆動を行う（図３（ｂ）参照）。
【００６０】
かかる駆動動作を行うことによって、現像スリーブ４１２Ａと現像スリーブ４２２Ａとの間では、現像スリーブ４２２Ａから現像スリーブ４１２Ａへキャリアのみが電界によって移動する。
【００６１】
但し、十分な量のキャリア移動は容易ではないので、現像スリーブ４１２Ａの線速度に較べ、現像スリーブ４２２Ａの線速度を１．５〜４倍程度と変化させたり、上記の駆動動作を現像スリーブ４１２Ａが複数回転する間継続状態とすることが行われる。
【００６２】
このようにして、現像スリーブ４１２Ａ周面上に付着したキャリアの反射光量は、光学センサＳ４によって出力電圧Ｖ（Ｃ０）として計測される。
【００６３】
制御部１００は、先に説明した演算式を用い、現像剤からの反射光量を測定した出力電圧Ｖ（ＣＡ）と、キャリアからの反射光量を測定した出力電圧Ｖ（Ｃ０）とからトナー濃度演算値の補正が行われる。
【００６４】
制御部１００は、補正が行われたトナー濃度算定値を予めメモリに記録された規定トナー濃度値と比較し、補正されたトナー濃度算定値が規定トナー濃度値を下回っていると判断されたときには、トナー補給手段によるトナー補給が行われる。
【００６５】
キャリアのみ反射光量測定が行われての、トナー濃度検知データの補正が行われたのちは、次の所定のプリント積算値（例えば２５００プリント）、又は次の所定の現像時間積算値に達するまでの間に行われる画像形成時のトナー濃度測定については、測定されたトナー濃度出力値に対して先のキャリアのみの反射光量測定によって得られた補正値をそのまま使用してトナー濃度測定値の補正が行われ、補正されたトナー濃度測定値に基づいて、トナー補給の必要性が判断される。
【００６６】
（Ｂ）  実施例２の現像装置について、図５に示す構成図を用いて説明する。
【００６７】
感光体ドラム１に対向しては、内部に複数の磁石を有した磁石ロール４１１Ｂと、磁石ロール４１１Ｂ外周を矢示方向に回転する現像スリーブ４１２Ｂとからなる現像剤担持体４１Ｂがある。
【００６８】
現像剤担持体４１Ｂに近接しては、現像剤担持体４１Ｂから現像剤を剥ぎ取って搬送する現像剤担持体４２Ｂがある。現像剤担持体４２Ｂも、内部に複数の磁石を有した磁石ロール４２１Ｂと、磁石ロール４２１Ｂの外周を矢示方向に回転する現像スリーブ４２２Ｂとからなっている。
【００６９】
４４２Ｂ、４４３Ｂは水車状の翼を有する撹拌部材で、現像剤の撹拌を行っていて、トナーと磁性キャリアとから成る現像剤は撹拌されて摩擦帯電し、キャリア外周にトナーが付着した状態となっていて、回転する現像スリーブ４１２Ｂ周面に磁力によって付着し、現像スリーブ４１２Ｂの回転に伴って感光体ドラム１に近接した現像領域へ移動する。
【００７０】
現像スリーブ４１２Ｂの現像スリーブ４２２Ｂに最も近接した対向部では、磁石ロール４１１Ｂは同磁極の２つの磁石の中間位置となっていて、磁石ロール４２１Ｂは異磁極の磁石が位置している（図５（ａ）参照）。
【００７１】
従って、現像スリーブ４１２Ｂに磁力によって付着していた現像剤は対向部で磁力差によって現像スリーブ４２２Ｂ周面に移動し、現像剤溜まりへと搬送される。
【００７２】
現像スリーブ４１２Ｂによって現像剤が搬送される間に、層厚規制部材４３Ｂによって所定の現像剤の搬送量となるよう制限がなされ、現像スリーブ４１２Ｂには直流電圧と交流電圧を重畳した現像バイアスが印加され、現像領域において感光体ドラム１上の静電潜像部分にトナーが付着して現像が行われる。
【００７３】
かかる画像形成の一部をなす現像プロセスにおいて、適時、現像スリーブ４２２Ｂに対向して設けられた発光素子と受光素子とより成る光学センサＳ４によって、現像スリーブ４１２Ｂ上で、感光体ドラム１上の非画像部を通過し現像が行われなかった現像剤を現像スリーブ４２２Ｂ上に移動搬送された状態で、現像スリーブ４２２Ｂ上の現像剤の反射率を測定してトナー濃度の検知がなされ、測定されたトナー濃度出力に対して後に説明する補正が加えられ、補正されたトナー濃度出力値が規定値以下に低下したときは、制御部はトナー補給を行うよう制御を行っている。
【００７４】
本発明の画像形成装置では、上記説明した画像形成モードとともに、トナー濃度検知データ補正モードを有していて、光学センサＳ４によって検知されたトナー濃度に対し、キャリアから反射光量を検知して、先に検知されたトナー濃度に対して補正を行うことが制御系によって行われる。
【００７５】
図６には、電気制御系の概要を示すブロック図を示している。１１０は演算制御処理を行うＣＰＵで、ＲＡＭ１１１、ＲＯＭ１１２、不揮発メモリ１１３が接続している。ＲＡＭ１１１には、プリント数積算値又は、現像時間積算値が記憶されていて、プリント数又は現像時間の増加と共に前記積算値に加算される。
【００７６】
ＲＯＭ１１２には、画像形成モードプログラムと、トナー濃度検知データ補正プログラムとを記憶していて、画像形成時には画像形成モードプログラムを呼び出し、インターフェース１２０を介して外部機器の動作の制御を行い、画像形成を行う。画像形成を行うことによって、プリント数積算値が所定の積算値に達したとき、又は現像時間積算値が所定の積算値に達したとき、ＣＰＵ１１０はトナー濃度検知データ補正プログラムを呼び出し、インターフェース１２０を介して関係部材の動作の制御を行って、トナー濃度検知データの補正を行っている。
【００７７】
次に図５、図６を用いてトナー濃度検知データの補正動作について説明する。
【００７８】
トナー濃度検知データの補正には、先ず光学センサＳ４によって現像スリーブ４２２Ｂ上の現像剤の反射光測定を行うことから行われる。
【００７９】
制御部１００は、磁石ロール４１１Ｂ及び磁石ロール４２１Ｂの磁石位置を移動させ、現像剤担持体４１Ｂと現像剤担持体４２Ｂとの最も近接した対向部では、磁石ロール４２１Ｂについては磁石が位置し、磁石ロール４１１Ｂについては磁石ロール４２１Ｂの位置した磁石と磁極性を異にした２つの磁石の中間位置となるように設定し、現像スリーブ４１２Ｂと現像スリーブ４２２Ｂとには、同電位のバイアス電圧の印加を行う。本実施例においては共に−５００Ｖに電圧印加し、感光体ドラム１上の非画像領域を現像するような状態、即ち実質的には現像が行われない状態で駆動を行う。このときの感光体電位は−７００Ｖに設定する（図５（ａ）参照）。
【００８０】
かかる駆動動作を行うことによって、現像スリーブ４１２Ｂ周面に磁力によって付着搬送された現像剤は、現像スリーブ４１２Ｂが現像スリーブ４２２Ｂに最も近接した対向部で、磁力差によって現像スリーブ４２２Ｂ周面へと移動し、現像スリーブ４２２Ｂ周面上に付着した現像剤の反射光量は光学センサＳ４によって出力電圧Ｖ（ＣＡ）として計測される。
【００８１】
次いで、光学センサＳ４によって現像スリーブ４２２Ｂ周面上のキャリアの反射光測定を行う。
【００８２】
制御部１００は、磁石ロール４１１Ｂの磁石位置を移動させ、現像剤担持体４１Ｂと現像剤担持体４２Ｂとの最も近接した対向部で、同極性の磁石が対向するように位置設定し、現像スリーブ４２２Ｂにはトナーと同極性のバイアス電圧（本実施例では−５００Ｖ）を印加し、現像スリーブ４１２Ｂは接地して、現像スリーブ４２２Ｂと現像スリーブ４１２Ｂとの対向した間隙では、電界が形成された状態で駆動を行う。このとき、感光体は帯電しない（図５（ｂ）参照）。
【００８３】
かかる駆動動作を行うことによって、現像スリーブ４２２Ｂと現像スリーブ４１２Ｂとの間では、現像スリーブ４１２Ｂから現像スリーブ４２２Ｂへ電界によってキャリアのみが移動する。
【００８４】
但し、十分な量のキャリア移動は容易ではないので、現像スリーブ４２２Ｂの線速度に較べ、現像スリーブ４１２Ｂの線速度を１．５〜４倍程度と変化させたり、上記の駆動動作を現像スリーブ４２２Ｂが複数回転する間継続状態とすることが行われる。
【００８５】
このようにして、現像スリーブ４２２Ｂ周面上に付着したキャリアの反射光量は、光学センサＳ４によって出力電圧Ｖ（Ｃ０）として計測される。
【００８６】
制御部１００は、先に説明した演算式を用い、現像剤からの反射光量を測定した出力電圧Ｖ（ＣＡ）と、キャリアからの反射光量を測定した出力電圧Ｖ（Ｃ０）とからトナー濃度演算値の補正が行われる。
【００８７】
制御部１００は、補正が行われたトナー濃度算定値を予めメモリに記録された規定トナー濃度値と比較し、補正されたトナー濃度算定値が規定トナー濃度値を下回っていると判断されたときには、トナー補給手段によるトナー補給が行われる。
【００８８】
キャリアのみ反射光量測定が行われての、トナー濃度検知データの補正が行われたのちは、次の所定のプリント積算値（例えば２５００プリント）、又は次の所定の現像時間積算値に達するまでの間に行われる画像形成時のトナー濃度測定については、測定されたトナー濃度出力値に対して先のキャリアのみの反射光量測定によって得られた補正値をそのまま使用してトナー濃度測定値の補正が行われ、補正されたトナー濃度測定値に基づいて、トナー補給の必要性が判断される。
【００８９】
（Ｃ）  比較例として、キャリアの反射光量を測定してトナー濃度補正を行うことのない従来の現像装置にちいて、図７に示す構成図を用いて説明する。
【００９０】
内部に磁石ロール４１１Ｃを有し、矢印方向に回転する現像スリーブ４１２Ｃから成る現像剤担持体４１Ｃでは、撹拌部材４４Ｃによって撹拌され、摩擦帯電してキャリアにトナーが付着状態となった現像剤を磁力によって現像スリーブ４１２Ｃ周面に付着させ、現像領域へと搬送される。
【００９１】
本比較例においては、現像スリーブ４１２Ｃによって現像剤が搬送される間に、層厚規制部材４３Ｃによって所定の現像剤の搬送量となるよう制限がなされ、現像スリーブ４１２Ｃ上の現像剤は光学センサＳ４によって反射率を測定してトナー濃度の検知がなされ、測定されたトナー濃度が規定値以下に低下したときは、制御部はトナー補給を行うよう制御を行っている。
【００９２】
（４）  本発明者らは、実施例１、実施例２、及び比較例について実写テストを行い、トナー濃度推移の安定性を比較した。
【００９３】
（ａ）  共通の条件は下記の通りである。
画像形成装置：Ａ４ヨコ  ８０枚／分  機  （デジタルフルカラー機）
プロセススピードＶ：４００ｍｍ／ｓｅｃ
感光体ドラム直径：８０ｍｍ
感光体帯電電圧Ｖ０：  −７００Ｖ（可変：左記は標準値）
現像剤担持体電位Ｖｄｃ：  −５００Ｖ（可変：左記は標準値）
感光体ベタ露光電位Ｖｉ：  −５０Ｖ
現像バイアスＡＣ成分Ｖａｃ：  １ｋＶｐ−ｐ  矩形波  ５ｋＨｚ
潜像露光手段：  半導体レーザー（波長７８０ｎｍ）
現像剤担持体直径：  ３０ｍｍ
現像剤担持体〜感光体距離Ｄｓ：  約０．３０ｍｍ
現像剤担持体上の現像剤搬送量Ｄ：  約２５ｍｇ／ｃｍ2
現像剤担持体移動速度／プロセススピード  （＝現像θ）：２．０
光学センサ構成：発光素子＝赤外ＬＥＤ（中心波長８８０ｎｍ）
受光素子＝フォトトランジスタ
入射角４５°／受光角４５°
トナー：  体積平均粒径４．５μｍの重合トナー
キャリア：  体積平均粒径２５μｍ／磁化の強さ  ６０ｅｍｕ／ｇ
設定トナー濃度：６％
キャリアのみの反射光量測定：２５００プリント毎に実施（実施例のみ）
（ｂ）  テスト内容は下記の通りである。
印字パターン：  各色平均印字率６％のフルカラー画像
印字モード：    連続印字１０万プリント
環境：          一般環境（２０℃、５０％）
トナー濃度の確認：５０００プリント毎に現像器内の現像剤トナー濃度を実測する。
【００９４】
シアン現像剤のトナー濃度を確認した。
（初期のトナー濃度＝６％を維持して推移するかを確認する。±１％以内ならばＯＫ。）
（Ｃ）  テスト結果
実施例１および実施例２においては、１０万プリントを通じてトナー濃度が６±１％の範囲で推移し、良好な性能を示した。図８にはトナー濃度推移の状態を示している。出力画像のベタ濃度も安定しており、またかぶりやトナー飛散も発生しなかった。一方、比較例の場合には、スペントの影響によりトナー濃度を実際よりも高い値であると判断したため、トナー補給量が少なめになり、テスト後半ではトナー濃度の狙い目である６±１％の範囲より低く推移し、画像濃度低下が顕著になった。
【００９５】
１０万プリント終了後の現像剤の解析を行ったところ、実施例１／実施例２／比較例のいずれの場合もキャリア表面にスペントが発生していた。
【００９６】
上記のテスト結果から、本発明の実施例１および実施例２の画像形成装置を使用すれば、現像剤にストレスがかかりキャリア表面にスペントが発生する場合においても、キャリアのみの反射光量を光学センサで測定して現像剤のトナー濃度を算出するため、安定したトナー濃度推移を示し、長期にわたって良好な画像が得られることが明らかとなった。
【図面の簡単な説明】
【００９７】
【図１】新品の現像剤および耐久後の現像剤のトナー濃度対反射光量の関係図。
【図２】画像形成装置の全体構成図。
【図３】実施例１の現像装置の構成図。
【図４】実施例１の電気制御系の概要を示すブロック図。
【図５】実施例２の現像装置の構成図。
【図６】実施例２の電気制御系の概要を示すブロック図。
【図７】比較例の現像装置の構成図。
【図８】実施例と比較例とのトナー濃度推移を示すグラフ。
【符号の説明】
【００９８】
１  感光体ドラム
４１Ａ，（Ｂ）  現像剤担持体
４１１Ａ，（Ｂ）  磁石ロール
４１２Ａ，（Ｂ）  現像スリーブ
４２Ａ，（Ｂ）  現像剤担持体
４２１Ａ，（Ｂ）  磁石ロール
４２２Ａ，（Ｂ）  現像スリーブ
４３Ａ，（Ｂ）  層厚規制部材
【図１】
2006126698.tif 000003
【図２】
2006126698.tif 000004
【図３】
2006126698.tif 000005
【図４】
2006126698.tif 000006
【図５】
2006126698.tif 000007
【図６】
2006126698.tif 000008
【図７】
2006126698.tif 000009
【図８】
2006126698.tif 000010